(57)【特許請求の範囲】
【請求項１】
内部に飲料を収容する中空の容器本体と、該容器本体の開口側を覆うよう着脱されるフード部材を備えた飲料容器において、
前記容器本体の一端には、前記開口を覆う飲み口部が設けられるとともに、前記飲み口部を覆うように前記フード部材が着脱される構成であり、前記容器本体の他端には係止手段が形成されており、
前記フード部材が、該フード部材を前記容器本体の前記飲み口部側に装着した状態で、該フード部材を下方に位置するよう載置した際に容器を自立させるための支持面と、該支持面の反対側に形成され、前記容器本体を反転させて前記係止手段側を受容支持可能な受容部とを備え、
前記フード部材には、前記容器本体の一端側を受容した際に、該一端側である飲み口側に形成された飲み口側固定部に着脱されるフード側固定部を備え、
前記係止手段は、ストラップと、該ストラップを係止するために前記容器本体の前記他端に設けられた係止部とを有し、前記フード部材には、前記受容部に前記容器本体の他端を受容させた状態において、前記係止部に係止されている前記ストラップを配置可能な切欠き状のストラップ配置部を設けた
ことを特徴とする飲料容器。
【請求項２】
前記容器本体は一方向に長い形態であり、その長手方向のほぼ中央部が外方に膨出した形態とされ、該中央部には内方に窪んだ把持部が形成されていることを特徴とする請求項１に記載の飲料容器。
【発明の詳細な説明】
【技術分野】
【０００１】
この発明は、携帯に便利で、使い勝手のよい飲料容器に関するものである。
【背景技術】
【０００２】
哺乳器などの飲料容器は、従来より多くの形態のものが使用されているが、特に、粉ミルクなどの品質向上や乳幼児を連れての外出の増加等に見られる育児環境の変化により、多様な場面での哺乳を可能とすることがもとめられ、さらに便利な容器への要求が生まれている。
たとえば、乳幼児が哺乳を行うさいに、特に月齢の低い乳幼児に対しては、母親などが付き添い、このような飲料容器を手で持つなどして支持しなければならなかった。
【０００３】
これに対して、特許文献１の哺乳器は、哺乳瓶２を吊り下げて、該哺乳瓶２から下垂されたゴム管５の先に乳首４を取付け、寝た状態の乳幼児などが付き添いなしで哺乳できるようにされている。また、特許文献２では、点滴注射のような構成を用いて、同様な用途に用いることができる例が示されている。
【０００４】
【特許文献１】実開昭５６−３３９３８号
【特許文献２】ＵＳＰ４９６６５８０
【発明の開示】
【発明が解決しようとする課題】
【０００５】
ところが、上述した従来の哺乳器は、吊り下げ支持の専用品であって、ベッドサイドなどに設置するもので、その利用場面が限られており、使い勝手が悪いだけでなく、乳幼児に対する授乳環境として、母親等の介助者が確認せずに授乳を行うことの問題があった。
むしろ、室内だけで過ごすことが多く、あまり外出しない月齢の低い乳幼児向けよりは、これよりやや成長した乳幼児について使用される飲料容器は、さまざまな形態が必要とされている。
すなわち、吊り下げ支持が可能であるだけでなく、外出時などのより多様な使用場面における使用も考慮されることで、哺乳や離乳を身につける比較的長い期間にわたり使用できる飲料容器が求められている。
【０００６】
この発明は、上記課題を解決するためになされたものであり、吊り下げ支持ができることで、持ち運び等における利便性を供するとともに、より多様な使用場面に適合した飲料容器を提供することを目的とする。
【課題を解決するための手段】
【０００７】
本願発明は、内部に飲料を収容する中空の容器本体と、該容器本体の開口側を覆うよう着脱されるフード部材を備えた飲料容器において、前記容器本体の一端には、前記開口を覆う飲み口部が設けられるとともに、前記飲み口部を覆うように前記フード部材が着脱される構成であり、前記容器本体の他端には係止手段が形成されており、前記フード部材が、該フード部材を前記容器本体の前記飲み口部側に装着した状態で、該フード部材を下方に位置するよう載置した際に容器を自立させるための支持面と、該支持面の反対側に形成され、前記容器本体を反転させて前記係止手段側を受容支持可能な受容部とを備え、前記フード部材には、前記容器本体の一端側を受容した際に、該一端側である飲み口側に形成された飲み口側固定部に着脱されるフード側固定部を備え、前記係止手段は、ストラップと、該ストラップを係止するために前記容器本体の前記他端に設けられた係止部とを有し、前記フード部材には、前記受容部に前記容器本体の他端を受容させた状態において、前記係止部に係止されている前記ストラップを配置可能な切欠き状のストラップ配置部を設けたことを特徴とする。
【０００８】
上記構成によれば、容器本体の一端には飲み口部が形成されており、この飲み口部から内部に収容された飲料を飲むことができる。
そして、容器本体の他端には係止手段が設けられているので、該係止手段を利用して容器本体を吊り下げて携帯や収納等をすることができる。また、該係止手段を用いて、これを手で持ち、携行することができる。
前記フード部材は容器本体の飲み口部側に装着されることで、前記飲み口部を塞ぐだけでなく、この状態で、フード部材を下側にして全体を立てると、前記支持面の機能により自立状態を保持することができる。
しかも、飲み口部を覆うよう（受容するよう）にフード部材を装着した際には、飲み口側固定部にフード側固定部が固定されて、飲み口部を確実に塞いだ状態で保持できる。
さらに、該フード部材は、前記容器本体を反転させて前記係止手段側を前記受容部に受容して自立させることもできるので、吊り下げ状態ではなく、通常の哺乳器の使用と同様に使用している場合においても、乳幼児の飲用の途中で、飲み口部を上に向けて、自立状態で仮に保持できる。
かくして、吊り下げ支持ができることで、携帯性等に優れた構成とされるとともに、より多様な使用場面に適合した飲料容器を提供することができる。
また、容器本体の係止手段がストラップを含み、吊り下げ使用や吊り下げ携行にきわめて便利である。しかも、このようなストラップを容器本体に装備した上で、飲み口部を上に向けて起立状態としても、切欠き状のストラップ配置部によって容器本体の係止手段側をフード部材に受容させ、支持することができる。
【００１１】
好ましくは、前記容器本体は一方向に長い形態であり、その長手方向のほぼ中央部が外方に膨出した形態であり、該中央部には内方に窪んだ把持部が形成されていることを特徴とする。
上記構成によれば、乳幼児が容器本体を手で持って支持する場合に、例えば平坦な長い円筒などと比べると、容器本体の前記膨出部を持つことがきわめて持ちやすい。しかも、この場合、その表面が単一な曲面ではなく、内方に窪んだ箇所があれば、手がかりとして好適で、一層支持が容易となる。
【発明を実施するための最良の形態】
【００１２】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１３】
図１および図２は、本発明の実施形態に係る飲料容器を示し、図１は飲料容器の分解斜視図、図２はその一端部の拡大断面図である。
飲料容器１０は、図１に示されているように、中空の容器本体１１と、この容器本体１１の一端に設けられる飲み口部４１と、容器本体１１の他端に配される係止手段３１と、フード部材２１とを備えている。
【００１４】
容器本体１１は、好ましくは、ポリプロピレンやポリエチレン、ポリカーボネート、ポリエーテルスルフォン等の合成樹脂によるブロー成形により形成されている。このような成形法により、容器本体１１はラグビーボールもしくはトノー（樽）形状であり、一方向に長く、その長手方向の中央部が膨出し、両端がすぼまった形状とされている。
容器本体１１の中央部には、表面が僅かに内方に窪んだ複数の把持部１２，１２が形成されている。この把持部１２は、略正円状とされた膨出した位置の断面における対称位置に、例えば４箇所形成されている。
なお、容器本体１１は壁面が薄肉状とされており、吸引が未熟な乳幼児に対し、母親等の介助者が授乳や飲料を飲ませる場合、膨出した領域を押すことで、容器本体１１壁面が内方に変形し、飲料を吐出させることができるよう構成されている。
また、容器本体１１の一端は、開口１３とされており、内部空間と連通している。
【００１５】
容器本体１１の他端部の係止手段３１は、該容器本体１１の端部に一体に形成され、例えば図示のように、一体に形成された扁平なリング状の貫通孔３２ａが形成された係止部３２と、該係止部３２に着脱可能に挿通されるストラップ３３とを有している。
ストラップ３３は、例えば、布やビニールなどの材料により、典型的には、図示のような帯状の部材として形成される。ストラップ３３は、好ましくは、一端３４が係止部３２の貫通孔３２ａに挿入され、スナップなどの係止具３６，３６に挟まれた容器固定領域３３ａに係止部３２が保持されることにより着脱・固定されるようになっている。
なお、ストラップ３３の他端３５は、ループ状にしたり、掛止具を具備したりすることができるが、本実施の形態では、一端３４内面と他端３５外面にそれぞれ設けられた、着脱可能な面ファスナ３４ａ，３５ａを装着状態とすることで、ループ部３３ｂがループ状となって、例えばベビーカーのハンドルやかばん等に装着できる。また、ストラップ３３は面ファスナ３４ａ，３５ａの装着位置を調整することで長さ調節可能とされている。なお、面ファスナではなく所謂バックル等の各種係合手段を採用してもよい。
【００１６】
次に、容器本体１１の一端の飲み口部４１の構成を、図１および図２を参照して説明する。
容器本体１１の開口１３の外周には、雄ネジ部１３ａが形成されており、これを利用して、飲み口部４１が着脱されるようになっている。
飲み口部４１は、最も内側に位置した基部にフランジを備える有底の筒状の硬質の成形体４２と、その外側に被せられるように装着され、エラストマーやシリコーンなどの軟質の材料により形成されており、基部にフランジを有する有底の筒状の弾性体４４と、該弾性体４４の外側を覆い、大きく拡幅した基部の内側に、容器本体１１の雄ネジ部１３ａと螺合する雌ネジ部４６ａを備えたカバー体４６を有している。なお、このカバー体４６は硬質の成形体であってもよいが、表面にエラストマー等の軟質材層を形成してもよい。
【００１７】
図１および図２を参照して理解されるように、成形体４２の筒状先端において、その外周縁付近には複数の貫通孔４３が形成されており、容器本体１１の内部と連通するようになっている。該成形体４２に対して、図１の矢印方向に移動可能な弾性体４４は、筒状の先端部の中央部にひとつの貫通孔４５を備えている。これにより、成形体４２にかぶる弾性体４４が該成形体４２に密着している場合には、各貫通孔４３と４５弾性体４４の壁面によって密閉された状態となり、成形体４２表面から弾性体４４が離れると、各貫通孔４３と４５は連通して、吸引可能とする構成である。
【００１８】
また、カバー体４６は、成形体４２および弾性体４４を外側から覆うとともに、その筒状先端部には、貫通孔４７が穿設されている。このカバー体４６の筒状先端部は使用者が実際に口にくわえる部分であり、吸引することで弾性体４４の貫通孔４５が設けられた先端を成形体４２先端から離間させ、貫通孔４７を通過する液体を飲むようになっている。
また、カバー体４６のドーム状に拡幅した基部には縦方向の溝４８が複数本形成されており、飲用に伴う容器本体１１内の圧力変化を一定に保つ構成とされている。
このように、飲み口部４１が下側に向かうよう配置しても、飲み口から飲料が漏れ出ない密閉手段を有する構成とされている。
【００１９】
次に、フード部２１を説明する。
フード部２１は、例えば、比較的硬質の合成樹脂などによる成形品であり、開口２４と該開口２４から続く内側の空間である受容部６１を備えている。そして、この受容部６１内に、容器本体１１の一端部と他端部とを択一的に受容して、その一部を覆い得るようにした、中空のドーム状の形態である。
しかも、フード部２１の底部からは、短い複数の支持用脚部２２が延出しており、各脚部先端は平らな支持面２３となっている。
さらに、図２に示すように、フード部２１の開口１３の開口縁には、内方に僅かに隆起する凸条もしくはリブ２５が形成されている。
図２では、リブ２５は、飲み口側嵌合部である容器本体１１に装着されたカバー体４６と該容器本体１１との僅かな合わせ目によって形成された凹部１５に入り込むことで、嵌合しているが、容器本体１１や飲み口部４１自体に凹部を形成してもよく、リブ２５を容器本体１１側に設け、凹部１５をフード部材２１に貫通孔として設ける等、リブ２５や凹部２１は反対に配置されるよう形成してもよい。
リブ２５はフード側固定部の、凹部１５は飲み口側固定部の、それぞれ１態様とされており、このように各固定部は、凹凸による嵌合や、螺子状の螺合、面状の当接等、保持状態を保つ各種の係止手段を採用できる。
また、フード部材２１の開口２４の一部をストラップ３３の幅に合わせて切り欠くことで、ストラップ配置部２６が形成されており、後述するように、フード部材２１を外して、飲み口部４１が上方に位置するよう係止手段３１側を、支持面２３によって自立したフード部材２１に配置した際に、ストラップ３３が自立を阻害しないよう構成されている。
【００２０】
本実施形成は以上のように構成されており、上述したように、容器本体１１の一端には飲み口部４１が形成されているので、使用者は、例えば、容器本体１１の把持部１２に指をかけながら手に持って、この飲み口部４１を口にくわえ、吸引すると、弾性体４４が成形体４２から離間して、容器本体１１の内部に収容された飲料を飲むことができる。
そして、容器本体１１の他端の係止手段３１のストラップ３３を利用して、飲み口部４１を下側に向くようにして逆さに吊り下げることができる。
あるいは、また、該係止手段３１のストラップ３３のループを手で持ったり、ストラップ３３の面ファスナ３４ａ，３５ａを操作してベビーカーなどに吊り下げて携行することもでき、また、洗浄後の容器本体１１を吊るして干す等、様々な使用方法を選択できる。
【００２１】
また、フード部材２１は容器本体１１の飲み口部４１側に装着されることで、前記飲み口部４１を塞ぐだけでなく、この状態で、フード部材２１を下に配置して全体を立てると、前記支持面２３の機能により自立状態を保持することができる。
さらに、該フード部材２１を容器本体１１から取り外した使用状態で、容器本体１１を反転させて、該容器本体１１の他端である係止手段３１側を、支持面２３で自立したフード部材２１の受容部６１に受容して、容器本体１１の膨出した曲面に対して面状に当接することで保持し、自立させることもできる。
この時、フード部材２１にはストラップ配置部２６の切欠きが形成されているため、ストラップ３３が装着されていても、ストラップ３３をストラップ配置部２６から外方に露出させて、その他の容器本体１１の係止手段３１側をフード部材２１に受容させられる。
このような使用では、母親等の介助者が哺乳器の使用と同様に使用していて、乳幼児の飲用の途中で、飲み口部４１を上に向けて、自立状態で仮に保持し、飲み口部４１を衛生的に保つことができるものである。
このように、飲料容器１０は、吊り下げ支持ができることで、携帯等を行い易いとともに、通常の使用においても、飲み口部を汚損することなく、自立して置くことができるので、より多様な使用場面に適合することができる。
【００２２】
図３は、飲料容器の変形例を示している。この変形例の飲料容器１０−１において、図１および図２と同じ符号を付した箇所は共通する構成であるから、重複する説明は省略し、以下、相違点を中心に説明する。
この変形例の飲料容器１０−１において、上述の飲料容器１０と相違しているのは、飲み口部と把手の有無、容器本体１１の細かい構成だけである。
飲料容器１０−１の飲み口部４１−１は、哺乳瓶などに広く使用されている人工乳首５２が、リング状の支持部材５３に装着されており、リング状の支持部材５３によって図２で説明した容器本体１１の雄ネジ部１３ａに螺合されている。
このような人工乳首５２には、吸引時の内圧を調整する通気弁５２ａが形成されており、吸引孔となる先端開口５２ｂはＹ字状や＋字状等の弁状の形態とされて密閉状態を保てる構成とされている。しかも、装着状態ではフード部材２１内面に当接するよう構成されて、飲み口部４１−１を下側に位置させても飲料が漏れ出ない構成とされている。
容器本体１１の係止手段側には、僅かな突出量の凸条もしくはリブ１７を形成して、係止手段３１側をフード部材２１側に配置した際に、確実に保持できるよう係止手段側固定部として、飲み口部４１−１を上にした状態で自立させる際にフード部材２１のフード側固定部であるリブ２１と嵌合できるようにされている。
【００２３】
また、容器本体１１には把手部材５０を着脱可能に装着することができる。
すなわち、把手部材５０は容器本体１１の周囲に着脱できるようにされた中空で内面が容器本体１１に対応した形状の筒状の本体５４と、該本体５４の外面から一体に外方に張り出すように形成された一対の把手５５，５５を備えている。
把手部材５０の本体５４の側面には、容器本体１１の把持部１２，１２の外面に当接するように内方に膨出したストッパ５４，５４が把持部１２に対応した数だけ形成されており、筒状の把手部材５０内に容器本体１１を収容するよう、係止手段３１側から挿入して装着した際に該把手部材５０が保持されるようにされている。
かくして、この変形例の飲料容器１０−１では、上述の飲料容器１０の作用に加えて、飲み口部４１−１が人工乳首を備えることから、より月齢の低い乳児の飲用に適しており、把手部材５０を装着することで、乳幼児が自己保持して飲用することが容易となる。
【００２４】
本発明は上述の各実施形態に限定されない。
例えば、容器本体１１は、どんな形でもよく、例えば、円筒状としてもよく、係止手段３１側が広がった略円錐状としてもよく、さらにまた、角を面取りして曲線状とした四角柱状等の角柱状等としてもよい。
フード部材２１の支持面２３は、脚部に形成されていなくてもよく、その底面に形成される等種々の形態が考えられる。
また、飲み口部４１はストロー状の飲み口であってもよく、コップ状の飲み口であってもよいが、反転させても漏れ出ない密閉手段を有することが好ましく、これらの飲み口を選択的に容器本体１１に装着するよう構成してもよい。
さらに、ストラップ３３は帯状ではなく、紐状であってもよく、これに対応して、フード部材２１のストラップ配置部２６を、紐に対応した大きさで２箇所形成してもよく、その他にも、ストラップ３３を成形されたＳ字状のフック等としてもよい。
上述の実施形態と変形例における各構成は、必要により、その一部を省略したり、他の構成と入れ換えて、異なる構成の組み合わせのもとで実施されてもよい。
【図面の簡単な説明】
【００２５】
【図１】本発明の実施形態にかかる飲料容器の概略斜視図。
【図２】図１の飲料容器の飲み口部材およびフード部材の部分拡大断面図。
【図３】図１の飲料容器の変形例の概略斜視図。
【符号の説明】
【００２６】
１０・・・飲料容器、１１・・・容器本体、２１・・・フード部材、３１・・・係止手段、４１・・・飲み口部、３３・・・ストラップ
【図１】
0004822821.tif 000002
【図２】
0004822821.tif 000003
【図３】
0004822821.tif 000004